(57)【要約】【課題】  本発明は、キートップの押圧操作で板バネを反転させたときに好適なクリック感を得ることができると共に、発光素子からの出射光を確実に導光してキートップを明るく照光することができる照光式入力装置を提供すること。【解決手段】  第１のキートップ２は、透明、又は半透明の材料で形成され、スイッチ部９近傍の筐体５内部には、第１のキートップ２を照光可能な照光部材１０が配設され、第２のキートップ４と対向する側には、歪み検出センサ７ｂを有するフレキシブル基板７が配設され、歪み検出センサ７ｂは、第２のキートップ４の押圧操作によるフレキシブル基板７の歪みを検出可能になっている。【選択図】        図１
2007305469.tif 000002
【特許請求の範囲】
【請求項１】
筐体と、この筐体内部に配設されたスイッチ部と、前記スイッチ部を入力操作可能な第１のキートップと、この第１のキートップの外周側に前記第１のキートップを囲むように配設した第２のキートップとを備え、前記第１のキートップは、透明、又は半透明の材料で形成され、前記スイッチ部近傍の前記筐体内部には、前記第１のキートップを照光可能な照光部材が配設され、前記第２のキートップと対向する側には、歪み検出センサを有するフレキシブル基板が配設され、前記歪み検出センサは、前記第２のキートップの押圧操作による前記フレキシブル基板の歪みを検出可能になっていることを特徴とする照光式入力装置。
【請求項２】
前記歪み検出センサを有する前記フレキシブル基板は、前記第２のキートップと対向する側に配設した弾性変形可能な基板に取り付けられていることを特徴とする請求項１記載の照光式入力装置。
【請求項３】
前記スイッチ部と前記照光部材とは、前記第１、第２のキートップを押圧操作可能に収納する筐体内部に配設した回路基板上に隣接して配設され、前記照光部材の上部には、前記照光部材を覆う透明、又は半透明の導光部が形成され、前記第１のキートップには、前記板バネを押圧操作可能な第１操作部が形成され、前記照光部材から出射された光は、前記導光部から前記第１操作部に導かれて前記第１のキートップが照光可能になっていることを特徴とする請求項２記載の照光式入力装置。
【請求項４】
前記第１のキートップは、前記第１操作部と前記導光部とが一体形成され、前記スイッチ部は、前記第１操作部の押圧操作で、前記導光部が弾性変形して入力操作可能になっていることを特徴とする請求項１ないし３のいずれか１項に記載の照光式入力装置。
【請求項５】
前記第１のキートップと前記導光部とが別体で形成され、前記導光部上に前記第１操作部を当接させた状態で、前記第１操作部を押圧操作することで、弾性変形する前記導光部を介して前記スイッチ部が入力操作可能になっていることを特徴とする請求項１ないし３のいずれか１項に記載の照光式入力装置。
【請求項６】
前記スイッチ部は、前記回路基板上に配設したドーム状の板バネを有し、前記第１のキートップの押圧操作で前記板バネが反転することを特徴とする請求項３乃至５のいずれか１項に記載の照光式入力装置。
【請求項７】
前記導光部は、前記照光部材を囲むように形成された支持脚部が前記回路基板に支持されていることを特徴とする請求項２乃至６のいずれか１項に記載の照光式入力装置。
【請求項８】
押圧操作でスイッチ部を操作可能な第１のキートップと、この第１のキートップの外周側に前記第１のキートップを囲むように配設した第２のキートップとを備え、前記第１のキートップは、透明、又は半透明の材料で形成されて前記スイッチ部と対向する部分の内部に前記第１のキートップを照光可能な照光部材が配設され、前記第２のキートップと対向する側には、歪み検出センサを有するフレキシブル基板が配設されていることを特徴とする照光式入力装置。
【請求項９】
前記照光部材は、前記スイッチ部と対向する部分の前記フレキシブル基板に配設され、前記第１のキートップは、前記照光部材を囲むように複数の操作脚部を形成し、前記操作脚部が前記前記フレキシブル基板に形成した挿通孔を挿通して前記スイッチ部を前記操作可能になっていることを特徴とする請求項８記載の照光式入力装置。
【請求項１０】
前記スイッチ部は、前記第１、第２のキートップを押圧操作可能に収納する筐体の底板上に配設した回路基板上に配設され、前記操作脚部と前記スイッチ部との間には、弾性変形可能な駆動体が配設され、前記第１のキートップを前記押圧操作すると、弾性変形する前記駆動体を介して前記スイッチ部を操作可能になっていることを特徴とする請求項８、又は９記載の照光式入力装置。
【請求項１１】
前記スイッチ部は、前記回路基板上に配設したドーム状の板バネを有し、前記第１のキートップの押圧操作で前記板バネが反転することを特徴とする請求項１０記載の照光式入力装置。
【請求項１２】
前記駆動体は、前記スイッチ部の外側に形成した支持脚部が前記回路基板に支持され、前記第１のキートップの押圧操作で前記スイッチ部側に弾性変形可能になっていることを特徴とする請求項１０、又は１１記載の照光式入力装置。  
【発明の詳細な説明】
【技術分野】
【０００１】
本発明は、照光式入力装置に係わり、キートップを適正に照光させることができる視認性に優れた照光式入力装置に関する。
【背景技術】
【０００２】
従来の照光式入力装置５０を図５、図６に基づいて説明すると、筐体５１の表面部には、第１収容部５２が形成され、この第１収容部５２の底部には、スイッチ部を構成する第１固定接片５３と、この第１固定接片５３の周囲に第１固定接片５３から離間して第２固定接片５４とが配設されている。
これら第１、第２固定接片５３、５４は、筐体５１の複数の外部接続端子５５に接続されている。また、第１収容部５２の内部には、スイッチ部を構成する板バネ５６が配設されている。前記板バネ５６は、ドーム状で弾性を有する導電性金属板からなり、外周部が第２固定接片５４上に載置されて、ドーム状の天井面が第１固定接片５３から離間している。
【０００３】
前記板バネ５６及び第１固定接片５３の中央部には、開口部５６ａ、５３ａが貫通形成され、第１収容部５２の底部中央部には、開口部５６ａ、５３ａと連通する開口部５２ａが貫通形成されている。
また、板バネ５６の上には、透光性樹脂からなるキートップ５７が配設され、このキートップ５７には、ツバ状のフランジ５７ａが形成され、このフランジ５７ａが筐体５１の上部を遮蔽するフレーム５８により抜け止めされている。
更に、キートップ５７の下面には、突起５７ｂが形成され、この突起５７ｂは、ドーム状の板バネ５６の頂部に形成された開口部５６ａの周囲に当接するようになっている。
【０００４】
また、筐体５１の裏面部には、凹状の第２収容部５９が形成され、この第２収容部５９には、外部の電子機器（図示せず）側の回路基板６１に実装された照光部材６０が収容されるようになっており、照光式入力装置５０を回路基板６１に実装すると、第２収容部５９内に照光部材６０が位置するようになっている。
また、第２収容部５９は、開口部５２ａにより第１収容部５２と連通されているが、前記第２収容部５９の天井面に接着した透光性シート６２によって、第１収容部５２と遮蔽されている。
【０００５】
このような従来の照光式入力装置５０のキートップ５７は、押圧操作しない初期状態において、板バネ５６の弾性付勢力によりフレーム５８から所定高さで突出している。
前記初期状態においては、第１固定接片５３と第２固定接片５４とが電気的に絶縁されているので、スイッチ回路がＯＦＦ状態となっている。そして、初期状態のキートップ５７を板バネ５６の弾性に抗して押圧操作すると、板バネ５６の頂部が下方に変形して反転し、クリック感が発生する。
【０００６】
このことにより、第１固定接片５３と第２固定接片５４とが板バネ５６を介して電気的に接続されて、スイッチ回路がＯＮ状態とされる。その後、キートップ５７に加えていた押圧力を解除すると、板バネ５６がドーム状の初期状態に復帰してスイッチ回路がＯＦＦ状態となる。
前記照光部材６０は、スイッチ回路がＯＮすると発光し、この光が透光性シート６２、及び開口部５２ａ、５３ａ、５６ａを介してキートップ５７内を矢印方向に導光される。このことで、キートップ５７が照光して、周囲が暗い夜間でもキートップ５７を操作している操作者が、スイッチ回路がＯＮしたことを認識できる。
【特許文献１】特開２００３−２５７２７１号公報
【特許文献２】特開２００３−０６７１２５号公報
【発明の開示】
【発明が解決しようとする課題】
【０００７】
しかし、前述したような従来の照光式入力装置５０は、板バネ５６のドーム状の頂部に開口部５６ａが形成されているために、キートップ５７を押圧操作して板バネ５６が反転しても、感触が良好なクリック感を得られないことがあった。
また、従来の照光式入力装置５０は、照光部材６０が外部の電子機器側の回路基板６１に実装されていたために、照光式入力装置５０を回路基板６１に実装する場合に、照光部材６０に対して照光式入力装置５０が位置ズレするおそれがあった。このような、照光式入力装置５０が照光部材６０に対して位置ズレすると、開口部５２ａ、５３ａ、５６ａから照光部材の光を適正にキートップ５７に導けなくて、キートップ５７を明るく照光できなくなる問題があった。
本発明は、前述したような課題を解決するためになされたもので、キートップの押圧操作で板バネを反転させたときに好適なクリック感を得ることができると共に、発光素子からの出射光を確実に導光してキートップを明るく照光することができる照光式入力装置を提供することを目的とする。
【課題を解決するための手段】
【０００８】
前記課題を解決するための第１の手段として本発明の第１の実施の形態の照光式入力装置は、筐体と、この筐体内部に配設されたスイッチ部と、前記スイッチ部を入力操作可能な第１のキートップと、この第１のキートップの外周側に前記第１のキートップを囲むように配設した第２のキートップとを備え、前記第１のキートップは、透明、又は半透明の材料で形成され、前記スイッチ部近傍の前記筐体内部には、前記第１のキートップを照光可能な照光部材が配設され、前記第２のキートップと対向する側には、歪み検出センサを有するフレキシブル基板が配設され、前記歪み検出センサは、前記第２のキートップの押圧操作による前記フレキシブル基板の歪みを検出可能になっていることを特徴とする。
また、前記課題を解決するための第２の手段として、前記歪み検出センサを有する前記フレキシブル基板は、前記第２のキートップと対向する側に配設した弾性変形可能な基板に取り付けられていることを特徴とする。
また、前記課題を解決するための第３の手段として、前記スイッチ部と前記照光部材とは、前記第１、第２のキートップを押圧操作可能に収納する筐体内部に配設した回路基板上に隣接して配設され、前記照光部材の上部には、前記照光部材を覆う透明、又は半透明の導光部が形成され、前記第１のキートップには、前記板バネを押圧操作可能な第１操作部が形成され、前記照光部材から出射された光は、前記導光部から前記第１操作部に導かれて前記第１のキートップが照光可能になっていることを特徴とする。
【０００９】
また、前記課題を解決するための第４の手段として、前記第１のキートップは、前記第１操作部と前記導光部とが一体形成され、前記スイッチ部は、前記第１操作部の押圧操作で、前記導光部が弾性変形して入力操作可能になっていることを特徴とする。
また、前記課題を解決するための第５の手段として本発明の第２の実施の形態の照光式入力装置は、前記第１のキートップと前記導光部とが別体で形成され、前記導光部上に前記第１操作部を当接させた状態で、前記第１操作部を押圧操作することで、弾性変形する前記導光部を介して前記スイッチ部が入力操作可能になっていることを特徴とする。
また、前記課題を解決するための第６の手段として、前記スイッチ部は、前記回路基板上に配設したドーム状の板バネを有し、前記第１のキートップの押圧操作で前記板バネが反転することを特徴とする請求項３乃至５のいずれか１項に記載の照光式入力装置。
【００１０】
また、前記課題を解決するための第７の手段として、前記導光部は、前記照光部材を囲むように形成された支持脚部が前記回路基板に支持されていることを特徴とする。
また、前記課題を解決するための第８の手段として本発明の第３の実施の形態の照光式入力装置は、押圧操作でスイッチ部を操作可能な第１のキートップと、この第１のキートップの外周側に前記第１のキートップを囲むように配設した第２のキートップとを備え、前記第１のキートップは、透明、又は半透明の材料で形成されて前記スイッチ部と対向する部分の内部に前記第１のキートップを照光可能な照光部材が配設され、前記第２のキートップと対向する側には、歪み検出センサを有するフレキシブル基板が配設されていることを特徴とする。
また、前記課題を解決するための第９の手段として、前記照光部材は、前記スイッチ部と対向する部分の前記フレキシブル基板に配設され、前記第１のキートップは、前記照光部材を囲むように複数の操作脚部を形成し、前記操作脚部が前記前記フレキシブル基板に形成した挿通孔を挿通して前記スイッチ部を前記操作可能になっていることを特徴とする。
【００１１】
また、前記課題を解決するための第１０の手段として、前記スイッチ部は、前記第１、第２のキートップを押圧操作可能に収納する筐体の底板上に配設した回路基板上に配設され、前記操作脚部と前記スイッチ部との間には、弾性変形可能な駆動体が配設され、前記第１のキートップを前記押圧操作すると、弾性変形する前記駆動体を介して前記スイッチ部を操作可能になっていることを特徴とする。
また、前記課題を解決するための第１１の手段として、前記スイッチ部は、前記回路基板上に配設したドーム状の板バネを有し、前記第１のキートップの押圧操作で前記板バネが反転することを特徴とする。
また、前記課題を解決するための第１２の手段として、前記駆動体は、前記スイッチ部の外側に形成した支持脚部が前記回路基板に支持され、前記第１のキートップの押圧操作で前記スイッチ部側に弾性変形可能になっていることを特徴とする。
【発明の効果】
【００１２】
本発明の第１の実施の形態の照光式入力装置の第１のキートップは、透明、又は半透明の材料で形成され、スイッチ部近傍の筐体内部には、第１のキートップを照光可能な照光部材が配設され、第２のキートップと対向する側には、歪み検出センサを有するフレキシブル基板が配設され、歪み検出センサは、第２のキートップの押圧操作によるフレキシブル基板の歪みを検出可能になっているので、本発明の照光式入力装置を外部の電子機器側のマザー基板に実装する場合に、照光部材と第１のキートップとの位置ズレが発生することが無く、第１のキートップを明るく照光させることができる。
また、歪み検出センサを有するフレキシブル基板は、第２のキートップと対向する側に配設した弾性変形可能な基板に取り付けられているので、荷重を加える前の初期状態におけるフレキシブル基板に歪みが発生するのを防止できる。
また、スイッチ部と照光部材とは、第１、第２のキートップを押圧操作可能に収納する筐体内部に配設した回路基板上に隣接して配設され、照光部材の上部には、照光部材を覆う透明、又は半透明の導光部が形成され、第１のキートップには、板バネを操作可能な第１操作部が形成され、照光部材から出射された光は、導光部から前記第１操作部に導かれて第１のキートップが照光可能になっているので、照光部材の光を導光部材で確実に第１操作部に導いて第１のキートップを明るく照光することができる、
【００１３】
また、第１のキートップは、第１操作部と導光部とが一体形成され、スイッチ部は、第１操作部の押圧操作で、導光部が弾性変形して入力操作可能になっているので、部品点数を削減することができる。
また、第１のキートップと導光部とが別体で形成され、導光部上に第１操作部を当接させた状態で、第１操作部を押圧操作することで、弾性変形する導光部を介してスイッチ部が入力操作可能になっているので、組立性に優れた照光式入力装置を提供できる。
また、スイッチ部は、回路基板上に配設したドーム状の板バネを有し、第１のキートップの押圧操作で板バネが反転するので、板バネを感度良く反転させて良好なクリック感を得ることができる。
【００１４】
また、導光部は、照光部材を囲むように形成された支持脚部が回路基板に支持されているので、照光部材の光を導光部に効率良く導くことができる。
また、本発明の第３の実施の形態の照光式入力装置の第１のキートップは、透明、又は半透明の材料で形成されてスイッチ部と対向する部分の内部に第１のキートップを照光可能な照光部材が配設され、第２のキートップと対向する側には、歪み検出センサを有するフレキシブル基板が配設されいるので、第１のキートップ内部に照光部材を配設したので、第１のキートップ内部に配設した照光部材によって、第１のキートップを更に明るく照光することができる。
また、照光部材は、スイッチ部と対向する部分のフレキシブル基板に配設され、第１のキートップは、照光部材を囲むように複数の操作脚部を形成し、操作脚部がフレキシブル基板に形成した挿通孔を挿通してスイッチ部を操作可能になっているので、複数の操作脚部に囲まれた第１のキートップ内部に照光部材を配設できる。そのために、照光部材が直接第１のキートップを効率良く照光できる。
【００１５】
また、スイッチ部は、第１、第２のキートップを押圧操作可能に収納する筐体の底板上に配設した回路基板上に配設され、操作脚部とスイッチ部との間には弾性変形可能な駆動体が配設され、第１のキートップを押圧操作すると弾性変形する駆動体を介してスイッチ部を操作可能になっているので、スイッチ部の板バネを駆動体が確実に押圧して反転させることができる。
また、スイッチ部は、回路基板上に配設したドーム状の板バネを有し、第１のキートップの押圧操作で板バネが反転するので、好適なクリック感を得ることができる。
また、駆動体は、スイッチ部の外側に形成した支持脚部が回路基板に支持され、第１のキートップの押圧操作でスイッチ部側に弾性変形可能になっているので、押圧操作しないときの第１のキートップは、駆動体の付勢力で初期状態に自動復帰させることができる。
【発明を実施するための最良の形態】
【００１６】
以下に、本発明の照光式入力装置の実施の形態を図面に基づいて説明する。図１は本発明の第１の実施の形態の要部断面図であり、図２は本発明の第２の実施の形態の要部断面図であり、図３は本発明の第３の実施の形態の要部断面図であり、図４は本発明の第３の実施の形態の第１のキートップを説明する正面図と下面図である。
まず、本発明の第１の実施の形態の照光式入力装置１を図１に基づいて説明すると、第１のキートップ２は、透明、又は半透明な合成樹脂材料等からなり、柱状の第１操作部２ａを有し、この第１操作部２ａの上面に略平坦状の操作面２ｂが形成され、第１操作部２ａの下部に所定高さで下方側に突出する凸部２ｃが形成されている。
【００１７】
また、凸部２ｃが形成された第１のキートップ２の下部側には、後述する照光部材１０を覆うように第１操作部２ａから外側に延びて形成された弾性を有する導光部３が一体形成されている。
前記導光部３は、後述する照光部材１０を囲むように、照光部材１０の外側に支持脚部３ａが形成され、この支持脚部３ａが後述する回路基板８に支持されて、第１のキートップ２が片持ち支持されている。
前記支持脚部３ａは、後述する回路基板８に接着剤等で固着され、凸部２ｃと回路基板８との間に所定寸法の隙間が形成されるようになっている。
即ち、第１のキートップ２は、支持脚部３ａによって回路基板８に片持ち支持されて、図示上方に弾性付勢されている。
そのために、第１のキートップ２は、操作面２ａを押圧操作すると導光部３の弾性付勢力に抗して、凸部２ｃが図示下方に降下するようになっている。
【００１８】
また、第１のキートップ２の外周側には、柱状の第１操作部２ｂを囲むように第２のキートップ４が配設されている。前記第２のキートップ４は、中央部に第１キートップ２の第１操作部２ｂが挿通可能な挿通孔４ａが貫通形成され、この挿通孔４ａの外側に円環状の第２操作部４ｂが形成され、この第２操作部４ｂの表面が略平坦状の操作面４ｃとなっている。
前記操作面４ｃは、第１のキートップ２の操作面２ｂと、ほぼ同じ高さになるようになっている。また、第２のキートップ４の下面側の所定位置には、凸部４ｄが所定高さで突出形成されている。
【００１９】
また、第２のキートップ４は、外周部が筐体５に抜け止めされて収納支持されて、下面側の凸部４ｄは、筐体５に支持されて弾性変形可能な基板６に当接した状態になっている。前記基板６には、第１のキートップ２の柱状の第１操作部２ａが挿通可能な挿通孔６ａが貫通形成されている。
また、基板６の下面には、フレキシブル基板７が接着剤等で固着され、このフレキシブル基板７には、第１のキートップ２の第１操作部２ａが挿通可能な挿通孔７ａが貫通形成されている。前記フレキシブル基板７の下面で、第２のキートップ４の凸部４ｄと対向する位置には、抵抗体等からなる歪み検出センサ７ｂが、例えば９０度間隔の４箇所の位置に形成されている。
前記歪み検出センサ７ｂは、第２のキートップ４を押圧操作すると、凸部４ｄが押圧する基板６が弾性変形して、フレキシブル基板７が歪み、この歪みを検出可能になっている。
【００２０】
また、筐体５の底板５ａ上には、回路基板８が配設され、この回路基板８上には、第１キートップ２の凸部２ｃと対向する位置にスイッチ部９が形成されている。前記スイッチ部９は、ドーム状の板バネ９ａを有すると共に、回路基板８側に第１、第２固定接点（図示せず）が形成されている。
前記板バネ９ａは、頂部に第１キートップ２の凸部２ｃが当接、或いは若干の隙間を有して配設され、第１のキートップ２を押圧操作して、凸部２ｃが板バネ９ａを押圧すると、ドーム状の板バネ９ａが反転して、スイッチ部９が入力操作されてＯＮするようになっている。
【００２１】
前記板バネ９ａが反転することでクリック感が発生して、第１のキートップ２を押圧操作している操作者がスイッチ部９が入力されたことを認識することができるようになっている。
また、スイッチ部９の外側近傍の回路基板８上には、ＬＥＤ（発光ダイオード）等の照光部材１０が接着剤等で回路基板８上に固着されている。
前記回路基板８には、スイッチ部９、及び照光部材１０に接続されて引き回しされる回路パターン（図示せず）が形成されている。
【００２２】
このような構成の第１の実施の形態の照光式入力装置１の操作は、スイッチ部９を入力前で、第１のキートップ２が図１に示すような上昇位置の初期状態にある時に、導光部３及び板バネ９ａの弾性力に抗して第１のキートップ２の操作面２ｂを指等で押圧操作する。
すると、凸部２ｃに押圧されて板バネ９ａが反転すると共に、この反転によってクリック感が発生してスイッチ部９が入力される。前記スイッチ部９が入力されると、照光部材１０が照光し、この光が照光部材１０上を覆う導光部３に導かれて入射する。
前記導光部３に入射した光は、第１操作部２ａを通過して操作面２ｂを照光する。また、スイッチ部９の入力により、例えばディスプレー上の所望の位置に移動させたカーソルを決定することができる。
【００２３】
また、第１のキートップ２に加えていた押圧力を解除すると、第１のキートップ２は、板バネ９ａの弾性力と、導光部３の弾性力とによって、押圧前の初期状態に確実に自動復帰させることができる。
次に、第２のキートップ４の操作面４ｃを押圧操作すると、凸部４ｄが基板６を押圧して弾性変形させることで、フレキシブル基板７が歪み、この歪みを歪み検出センサ７ｂが検出して信号が外部の制御部（図示せず）に出力される。
このことによって、例えばディスプレー上のカーソルを所望の位置に移動させることができる。
尚、本発明の第１の実施の形態では、導光部３に１個の支持脚部３ａを形成して第１のキートップ２を片持ち支持したもので説明したが、支持脚部３ａと対向する位置にも支持脚部（図示せず）を形成して、第１のキートップ２を両持ち支持したものでも良い。
【００２４】
また、本発明の第２の実施の形態の照光式入力装置１１を図２に基づいて説明すると、第１の実施の形態と同じ構成の部材については、同じ番号を付して詳細な説明は省略する。まず、第１のキートップ１２は、柱状で透明、或いは半透明の樹脂材料等からなる第１操作部１２ａと、この第１操作部１２ａの上面に略平坦状の操作面１２ｂとが形成されている。
また、第１操作部１２ａの外周部の所定位置からは、所定厚さのツバ部１２ｃが外側に延出形成されている。
また、第１のキートップ１２の下部には、第１のキートップ１２と別体で、透明、或いは半透明の樹脂材料等からなる導光部１３が配設されている。  
【００２５】
前記導光部１３は、回路基板８上に配設した照光部材１０を囲むように、照光部材１０の外側に支持脚部１３ａが形成され、この支持脚部１３ａが回路基板８に支持されて、導光部１３が片持ち支持されている。
そして、第１のキートップ１２は、下端部を導光部１３に当接させた状態で、導光部１３の弾性力で図示上方に弾性付勢されている。
そのために、第１のキートップ１２のツバ部１２ｃが第２のキートップ４の下面に弾接して、第１のキートップ１２の上昇が規制される。そして、初期状態における互いの操作面１２ｂ、４ｃが同一面となっている。
また、導光部１３には、板バネ９ａと対向する部分を図示下方側に所定寸法突出させて凸部１３ｂが形成されている。
【００２６】
尚、第１のキートップ１２は、下端部を導光部１３に当接させたもので説明したが、それぞれの当接面を透明接着剤等で接着したものでも良い。
また、導光部１３は、支持脚部１３ａによって回路基板８に片持ち支持したもので説明したが、支持脚部１３ａと対向する側に支持脚部（図示せず）を形成して両持ち支持したものでも良い。
また、図２に示す第１のキートップ４、筐体５、基板６、フレキシブル基板７、回路基板８、スイッチ部９、照光部材１０は、第１の実施の形態と同じなので説明は省略する。  
【００２７】
このような構成の第２の実施の形態の照光式入力装置１１の操作は、初期状態で上昇位置にある第１のキートップ１２の操作面１２ｂを指等で押圧操作する。
すると、第１操作部１２ａの下端部が導光部１３を押圧し、凸部１３ｂが降下して板バネ９ａが反転すると共に、この反転によってクリック感が発生してスイッチ部９が入力される。
前記スイッチ部９が入力されると、照光部材１０が照光し、この光が導光部１３から第１操作部１２ａに導かれて入射する。この光によって操作面１２ｂが照光される。
【００２８】
また、第１のキートップ１２に加えていた押圧力を解除すると、第１のキートップ１２は、板バネ９ａの弾性力と、導光部１３の弾性力とによって、上昇してツバ部１２ｃが第２のキートップ４の下面に当接して、互いの操作面４ｃ、１２ｂが同一面となるように自動復帰する。
尚、第２キートップ４の操作は、第１の実施の形態と同じなので説明は省略する。
【００２９】
また、本発明の第３の実施の形態の照光式入力装置２１を図３、図４に基づいて説明すると、第１の実施の形態と同じ構成の部材については、同じ番号を付して詳細な説明は省略する。まず、第１のキートップ２２は、透明、或いは半透明の樹脂材料等からなり、円形状の第１操作部２２ａを有し、この第１操作部２２ａの上面に略平坦状の操作面２２ｂが形成されている。
また、第１操作部１２ａの外周部からは、所定厚さのツバ部２２ｃが外側に延出形成されている。
【００３０】
また、第１操作部２２ａから図示下部側には、例えば４本の操作脚部２２ｄが延長形成され、この操作脚部２２ｄに囲まれた部分に、後述するフレキシブル基板２７に支持された照光部材１０（図４Ｂの２点鎖線で示す）が位置するようになっている。即ち、第１のキートップ２２は、照光部材１０を囲むように複数の操作脚部２２ｄが形成されている。
そのために、互いに対向する操作脚部２２ｄ間のフレキシブル基板２７に回路パターン（図示せず）を形成でき、この回路パターンによって、照光部材１０に電力供給することができる。
【００３１】
また、フレキシブル基板２７には、操作脚部２２ｄが挿通可能な複数の挿通孔２７ａ（図４Ｂの２点鎖線で示す）が貫通形成され、この挿通孔２７ａに囲まれた部分のフレキシブル基板２７上に照光部材１０が接着剤等で固着されている。
即ち、第１のキートップ２２は、スイッチ部９と対向する部分の内部に照光部材１０が配設されている。
また、フレキシブル基板２７の下面で第２のキートップ４の凸部４ｄが対向する部分に、抵抗体等からなる歪み検出センサ２７ｂが形成されている。
【００３２】
また、フレキシブル基板２７の挿通孔２７ａから挿通させた第１のキートップ２２の操作脚部２２ｄは、樹脂材料からなる弾性を有する駆動体２３に当接して支持されている。  
前記駆動体２３は、回路基板８上に配設したスイッチ部９の外側の位置に支持脚部２３ａが形成され、この支持脚部２３ａが回路基板８に片持ち支持されている。そして、第１のキートップ１２は、駆動体２３の弾性力により、操作脚部２２ｄを駆動体２３に当接させた状態で図示上方に弾性付勢されている。
【００３３】
そのために、第１のキートップ２２のツバ部２２ｃが第２のキートップ４の下面に弾接して、第１のキートップ２２の上昇が規制されている。そして、初期状態における互いの操作面２２ｂ、４ｃが確実に同一面となるようになっている。
また、駆動体２３には、板バネ９ａと対向する部分を図示下方側に所定寸法突出させて凸部２３ｂが形成されている。
尚、第１のキートップ２２は、操作脚部２２ｄと駆動体２３とを当接支持したもので説明したが、互いの当接面を接着剤等で接着しても良い。
また、駆動体２３は、回路基板８に片持ち支持したもので説明したが、両持ち支持したものでも良い。
【００３４】
このような構成の第３の実施の形態の照光式入力装置２１の操作は、初期状態の上昇位置にある第１のキートップ２２の操作面２２ｂを指等で押圧操作する。
すると、操作脚部２２ｄに押圧されて駆動体２３が図示下方に弾性変形し、凸部２３ｂが降下して板バネ９ａが反転すると共に、この反転によってクリック感が発生してスイッチ部９が入力される。
前記スイッチ部９が入力されると、照光部材１０が照光し、この光が直接第１のキートップ２２の第１操作部２２ａに入射する。このことにより、操作面２２ｂを照光することができる。
【００３５】
このような第３の実施の形態の照光式入力装置２１は、照光部材１０の光が直接第１のキートップ２２の第１操作部２２ａを照光するので、第１、第２の実施の形態よりも操作面２２ｂを明るく照光することができる。
また、第１のキートップ２２に加えていた押圧力を解除すると、第１のキートップ２２は、板バネ９ａの弾性力と、駆動体２３の弾性力とによって、上昇してツバ部１２ｃが第２のキートップ４の下面に当接して、互いの操作面４ｃ、２２ｂが同一面となるように自動復帰する。尚、第２キートップ４の操作は、第１の実施の形態と同じなので説明は省略する。
【００３６】
このような本発明の第１、第２、第３の実施の形態の照光式入力装置の板バネ９ａは、従来の技術で説明したような開口部５６ａが無くて完全なドーム状に形成されているので、板バネ９ａを感度良く反転させることができ、感触の良い好適なクリック感を得ることができる。
また、本発明の第１、第２、第３の実施の形態の照光式入力装置は、照光部材１０が筐体５内部に配設されているので、外部の電子機器側のマザー基板に実装する場合に、従来の技術で説明したような、照光部材に対して照光式入力装置が位置ズレすることがない。
【図面の簡単な説明】
【００３７】
【図１】本発明の第１の実施の形態の要部断面図である。
【図２】本発明の第２の実施の形態の要部断面図である。
【図３】本発明の第３の実施の形態の要部断面図である。
【図４】本発明の第３の実施の形態の第１のキートップを説明する正面図と下面図である。
【図５】従来の照光式入力装置の要部断面図である。
【図６】従来の照光式入力装置の分解斜視図である。
【符号の説明】
【００３８】
１  第１の実施の形態の照光式入力装置
２  第１のキートップ
２ａ  第１操作部
２ｂ  操作面
２ｃ  凸部  
３  導光部
３ａ  支持脚部
４  第２のキートップ
４ａ  挿通孔
４ｂ  第２操作部
４ｃ  操作部
４ｄ  凸部
５  筐体
５ａ  底板
６  基板
６ａ  挿通孔
７  フレキシブル基板
７ａ  挿通孔
７ｂ  歪み検出センサ
８  回路基板
９  スイッチ部
９ａ  板バネ
１０  照光部材
１１  第２の実施の形態の照光式入力装置
２１  第３の実施の形態の照光式入力装置
【図１】
2007305469.tif 000003
【図２】
2007305469.tif 000004
【図３】
2007305469.tif 000005
【図４】
2007305469.tif 000006
【図５】
2007305469.tif 000007
【図６】
2007305469.tif 000008